(57)【要約】【課題】耐震性・耐久性に優れ、かつ、ヒートブリッジ現象による結露・カビ・ダニ等の発生を抑制し、さらに、安定した室内温度を保つことができる鉄骨造建築物を提供する。【解決手段】対になった長尺下地材１２が鉄骨柱１１を挟むよう鉄骨柱１１の長さ方向に沿って鉄骨柱１１に固定されている。外壁２は外断熱パネル２１と外壁パネル２３とを有している。外断熱パネル２１は柱部１の室外側に設けられている。外壁パネル２３は外断熱パネル２１との間に通気層５を形成して外断熱パネル２１の室外側に設けられている。内壁３は内壁パネル３１と内断熱材３２とを有している。内壁パネル３１は柱部１の室内側に設けられている。内断熱材３２は外断熱パネル２１との間に通気可能な間隔７をあけて内壁パネル３１の室外側に設けられている。外壁２および内壁３はそれぞれ鉄骨柱１１との間に間隙４，６を形成して各長尺下地材１２に固定されている。【選択図】図１
0003141593.tif 000002
【実用新案登録請求の範囲】
【請求項１】
鉄骨柱を挟んで外壁と内壁とが設けられた鉄骨造建築物であって、
対になった長尺下地材と、内壁パネルと、内断熱材と、外断熱パネルと、胴縁材と、外壁パネルとを有し、
各長尺下地材は前記鉄骨柱の各側部に沿って前記鉄骨柱を挟んで前記鉄骨柱に固定され、
前記内壁パネルは各長尺下地材の室内側の側縁部と結合し前記鉄骨柱との間に間隙を形成して前記鉄骨柱より室内側に設けられ、
前記内断熱材は前記内壁パネルの室外側の面に沿って設けられ、
前記外断熱パネルは各長尺下地材の室外側の側縁部と結合し前記鉄骨柱との間および前記内断熱材との間に間隙を形成して前記鉄骨柱および前記内断熱材より室外側に設けられ、
前記外壁パネルは前記外断熱パネルの室外側に前記外断熱パネルとの間に通気層を形成するよう前記胴縁材を介して設けられていることを、
特徴とする鉄骨造建築物。
【請求項２】
前記鉄骨柱は厚さ３．２ｍｍ以上の重量鉄骨から成り、前記外断熱パネルは全体が防湿シートで被覆され、さらに室外側の面が透湿防水シートで被覆されていることを特徴とする請求項１記載の鉄骨造建築物。
【考案の詳細な説明】
【技術分野】
【０００１】
本考案は、鉄骨造建築物に関する。
【背景技術】
【０００２】
近年、地震や台風などの自然災害に強い住宅が望まれている。そのような強度の高い住宅として、鉄骨造の住宅がある。
しかしながら、一般的な鉄骨造の建築物では、強度は上がるものの、鉄骨の熱伝導率が高いため、木造の建築物に比べて、結露やカビの原因となるヒートブリッジ現象が発生しやすい。このため、内断熱構造ではなく、鉄骨が外気に触れにくく、高気密構造にするのが容易な外断熱構造を採用することにより、ヒートブリッジ現象の発生を抑えた鉄骨造の建築物が開発されている（例えば、特許文献１参照）。
【０００３】
【特許文献１】特公平７−１００９５４号公報
【考案の開示】
【考案が解決しようとする課題】
【０００４】
特許文献１記載の鉄骨造の建築物は、ヒートブリッジ現象の発生をある程度抑えることはできるが、寒さが厳しい地方や冬期など、室内と外気との気温差が大きい場合には、ヒートブリッジ現象を完全に抑制することはできず、ヒートブリッジ現象が発生してしまうという課題があった。このため、結露・カビ・ダニ等の問題を発生させるおそれがあった。
【０００５】
本考案は、このような従来の課題に着目してなされたもので、耐震性・耐久性に優れ、かつ、ヒートブリッジ現象による結露・カビ・ダニ等の発生を抑制し、さらに、安定した室内温度を保つことができる鉄骨造建築物を提供することを目的とする。
【課題を解決するための手段】
【０００６】
上記目的を達成するために、本考案に係る鉄骨造建築物は、鉄骨柱を挟んで外壁と内壁とが設けられた鉄骨造建築物であって、対になった長尺下地材と、内壁パネルと、内断熱材と、外断熱パネルと、胴縁材と、外壁パネルとを有し、各長尺下地材は前記鉄骨柱の各側部に沿って前記鉄骨柱を挟んで前記鉄骨柱に固定され、前記内壁パネルは各長尺下地材の室内側の側縁部と結合し前記鉄骨柱との間に間隙を形成して前記鉄骨柱より室内側に設けられ、前記内断熱材は前記内壁パネルの室外側の面に沿って設けられ、前記外断熱パネルは各長尺下地材の室外側の側縁部と結合し前記鉄骨柱との間および前記内断熱材との間に間隙を形成して前記鉄骨柱および前記内断熱材より室外側に設けられ、前記外壁パネルは前記外断熱パネルの室外側に前記外断熱パネルとの間に通気層を形成するよう前記胴縁材を介して設けられていることを、特徴とする
【０００７】
本考案に係る鉄骨造建築物では、鉄骨柱を用いているため、耐震性・耐久性に優れている。また、外壁および内壁がそれぞれ鉄骨柱との間に間隙をあけて各長尺下地材に固定されており、木製の各長尺下地材や空気が存在する間隙は鉄骨に比べて熱伝導率がはるかに低いため、外壁や内壁が鉄骨柱に直接固定されている場合に比べ、外気や室内の熱が熱伝導率の高い鉄骨柱に伝わりにくく、鉄骨柱の熱も外壁や内壁に伝わりにくい。このため、鉄骨柱によるヒートブリッジ現象による結露・カビ・ダニ等の発生を抑制する効果に優れている。
【０００８】
各長尺下地材が木製の場合、加工の自由度が高く、外壁および内壁の固定が容易であり、建築精度を高めることができる。各長尺下地材は、例えば、ビス止めおよび釘止めにより鉄骨柱に固定されている。
【０００９】
本考案に係る鉄骨造建築物では、内断熱構造と外断熱構造とを併用しているため、高断熱であり、安定した室内温度を保つことができる。各長尺下地材や、外壁および内壁と鉄骨柱との間の間隙により、鉄骨柱によるヒートブリッジ現象だけでなく断熱効率の低下も抑えることができる。また、外壁パネルと外断熱パネルとの間の通気層および内断熱材と外断熱パネルとの間隔により、壁内の結露やカビの発生を抑えることができる。これにより、鉄骨による高強度かつ高断熱の構造を実現することができる。
本考案に係る鉄骨造建築物で、前記鉄骨柱は厚さ３．２ｍｍ以上の重量鉄骨から成り、前記外断熱パネルは全体が防湿シートで被覆され、さらに室外側の面が透湿防水シートで被覆されていることが好ましい。この場合、重量鉄骨の鉄骨柱により、さらに高い耐震性・耐久性が得られる。また、外断熱パネルは全体が防湿シートで被覆され、さらに室外側の面が透湿防水シートで被覆されているので、防湿・防水効果が高く、外壁表面で防ぎきれない雨水などの浸入を防ぐとともに、壁体内部の湿気を通気層に排出し、耐久性をより向上させることができる。
【考案の効果】
【００１０】
本考案によれば、耐震性・耐久性に優れ、かつ、ヒートブリッジ現象による結露・カビ・ダニ等の発生を抑制し、さらに、安定した室内温度を保つことができる鉄骨造建築物を提供することができる。
【考案を実施するための最良の形態】
【００１１】
以下、図面に基づき本考案の実施の形態について説明する。
図１は、本考案の実施の形態の鉄骨造建築物を示している。
図１に示すように、本考案の実施の形態の鉄骨造建築物は、柱部１と外壁２と内壁３とを有している。
【００１２】
図１に示すように、柱部１は、鉄骨柱１１と対になった長尺下地材１２とを有している。鉄骨柱１１は、断面がほぼ矩形枠状の角形鋼板の重量鉄骨から成っている。重量鉄骨は、厚さ３．２ｍｍ以上の鋼材である。鉄骨柱１１は、建築物を支える骨組として設置されている。各長尺下地材１２は、木製で、細長い矩形板から成っている。各長尺下地材１２は、鉄骨柱１１の壁厚方向の幅より大きい幅を有している。各長尺下地材１２は、鉄骨柱１１の各側部に沿って鉄骨柱１１を挟むよう鉄骨柱１１に固定されている。各長尺下地材１２は、両方の側縁部が鉄骨柱１１より室内側および室外側に突出するよう、ビス止めおよび釘止めにより鉄骨柱１１に固定されている。
【００１３】
図１に示すように、外壁２は、柱部１の室外側に配置され、外断熱パネル２１と胴縁材２２と外壁パネル２３とを有している。外断熱パネル２１は、板状のロックウールから成り、全体が防湿シートで被覆され、さらに室外側の面が透湿防水シートで被覆されている。外断熱パネル２１は、柱部１の室外側に設けられ、各長尺下地材１２の室外側の側縁部に固定されている。外断熱パネル２１は、鉄骨柱１１との間に間隙４を形成して各長尺下地材１２に固定されている。外断熱パネル２１は、建築物を取り囲むよう設けられている。
【００１４】
胴縁材２２は、木製で、細長くて薄い角材から成っている。胴縁材２２は、垂直方向に伸びて、外断熱パネル２１の室外側に設けられている。胴縁材２２は、所定の間隔をあけて互いに平行に複数設けられている。外壁パネル２３は、サイディングから成り、外断熱パネル２１および胴縁材２２の室外側に設けられている。外壁パネル２３は、胴縁材２２に固定され、建築物の外壁面を成すよう建築物を取り囲んでいる。外壁パネル２３は、外断熱パネル２１との間に胴縁材２２を挟むことにより、外断熱パネル２１との間に通気層５を形成している。
【００１５】
図１に示すように、内壁３は、柱部１の室内側に配置され、内壁パネル３１と内断熱材３２とを有している。内壁パネル３１は、石膏ボードから成り、柱部１の室内側に設けられている。内壁パネル３１は、各長尺下地材１２の室内側の側縁部に固定されている。内壁パネル３１は、鉄骨柱１１との間に間隙６を形成して各長尺下地材１２に固定されている。内壁パネル３１は、建築物の内壁面を成しており、室内側の面がクロス張りされている。
【００１６】
内断熱材３２は、板状のグラスウールから成る。内断熱材３２は、隣り合う柱部１の対向する各長尺下地材１２の間を塞ぐよう、内壁パネル３１の室外側の面に固定されている。内断熱材３２は、各長尺下地材１２の幅より薄い厚みを有しており、外断熱パネル２１との間に通気可能な間隔７をあけて設けられている。
このように、外壁２および内壁３は、それぞれ鉄骨柱１１との間に間隙４，６を形成して各長尺下地材１２に固定されている。
【００１７】
なお、図１に示す具体的な一例では、鉄骨柱１１は、断面外形が７５ｍｍ×７５ｍｍである。外断熱パネル２１は、厚みが３０ｍｍである。内壁パネル３１は、厚みが１２．５ｍｍである。内断熱材３２は、厚みが５０ｍｍである。
【００１８】
次に、作用について説明する。
本考案の実施の形態の鉄骨造建築物では、重量鉄骨の鉄骨柱を用いているため、耐震性・耐久性に優れている。また、外壁２および内壁３がそれぞれ鉄骨柱１１との間に間隙４，６を形成して各長尺下地材１２に固定されており、木製の各長尺下地材１２や空気が存在する間隙４，６は鉄骨に比べて熱伝導率がはるかに低いため、外壁２や内壁３が鉄骨柱１１に直接固定されている場合に比べ、外気や室内の熱が熱伝導率の高い鉄骨柱１１に伝わりにくく、鉄骨柱１１の熱も外壁２や内壁３に伝わりにくく、鉄骨柱１１の熱も外壁２や内壁３に伝わりにくい。このため、鉄骨柱１１によるヒートブリッジ現象による結露・カビ・ダニ等の発生を抑制する効果に優れている。
【００１９】
各長尺下地材１２が木製であるため、加工の自由度が高く、外壁２および内壁３の固定が容易であり、建築精度を高めることができる。本考案の実施の形態の鉄骨造建築物は、内断熱構造と外断熱構造とを併用しているため、高断熱であり、安定した室内温度を保つことができる。また、各長尺下地材１２や、外壁２および内壁３と鉄骨柱１１との間の間隙４，６により、鉄骨柱１１によるヒートブリッジ現象だけでなく断熱効率の低下も抑えることができる。さらに、外壁パネル２３と外断熱パネル２１との間の通気層５および内断熱材３２と外断熱パネル２１との間隔７により、壁内の結露やカビの発生を抑えることができる。このように、本考案の実施の形態の鉄骨造建築物によれば、重量鉄骨により高い耐震性・耐久性が得られ、また、外断熱と内断熱による高断熱の構造を実現することができる。
【００２０】
外断熱パネル２１は全体が防湿シートで被覆され、さらに室外側の面が透湿防水シートで被覆されているので、防湿・防水効果が高く、外壁表面で防ぎきれない雨水などの浸入を防ぐとともに、壁体内部の湿気を通気層に排出し、耐久性をより向上させることができる。
【図面の簡単な説明】
【００２１】
【図１】本考案の実施の形態の鉄骨造建築物を示す壁部分の横断面図である。
【符号の説明】
【００２２】
１    柱部
２    外壁
３    内壁
４    間隙
５    通気層
６    間隙
７    間隔
１１  鉄骨柱
１２  長尺下地材
２１  外断熱パネル
２２  胴縁材
２３  外壁パネル
３１  内壁パネル
３２  内断熱材
【図１】
0003141593.tif 000003